(57)【要約】【課題】  複数の接続端子を備えたハウジングとこのハウジングのシールドをするシールド部材とからなるレセプタクルにおいて、ハウジングにプラグが嵌合された状態でプラグに衝撃が印加されても、ハウジングにその衝撃が直接印加させない構造にして衝撃に強いレセプタクルを提供する。【解決手段】  レセプタクルは、プラグを嵌合させたときに、該プラグに設けてある接触端子と電気的な接続をする接続端子を備えたハウジングと、ハウジングの外周を覆うように形成されたシールド部材と、からなるレセプタクルであって、シールド部材には、前記ハウジングに嵌合するプラグの一部が当接するように挿入方向に直交する方向に切起こした切起こし部を設けたことである。【選択図】図１
2005251461.tif 000002
【特許請求の範囲】
【請求項１】
プラグを嵌合させたときに、該プラグに設けてある接触端子と電気的な接続をする接続端子を備えたハウジングと、前記ハウジングの外周を覆うように形成されたシールド部材と、からなるレセプタクルであって、
前記シールド部材には、前記ハウジングに嵌合する前記プラグの一部が当接するように挿入方向に直交する方向に切起こした切起こし部を設けたことを特徴とするレセプタクル。
【請求項２】
前記切起こし部は、前記プラグを挿入する方向の上部中央寄りに一対、下部端部寄りに一対設けたことを特徴とする請求項１に記載のレセプタクル。
【請求項３】
前記切起こし部は、前記ハウジングに設けた貫通溝に遊嵌合させるように形成したことを特徴とする請求項１乃至２に記載のレセプタクル。
【発明の詳細な説明】
【技術分野】
【０００１】
本発明は、レセプタクルに関し、詳しくはレセプタクルを構成するハウジング外周に備えたシールド部材に、プラグをハウジングに差し込んだときに、シールド部材に設けたプラグ差込方向に切起こした切起こし部に対して切起こし方向と直交する部位端部でプラグの先端部を押さえ支持するようにして衝撃に強い構造をしたレセプタクルに関する。
【背景技術】
【０００２】
従来技術におけるレセプタクルは、図４及び図５に示すように、直方体形状に形成され金属性部材で形成されたシールド部材１１１と、このシールド部材１１１で覆われ複数の接続端子を備えたハウジング１２１とからなる。
【０００３】
シールド部材１１１は、金属性板部材を空洞の直方体形状に形成したもので、短手方向両端部の下部位置に舌状に形成したシールド係止爪１１２と、頂面にプラグを係止するための小窓からなる一対のプラグ係止窓１１３ａ、１１３ｂと、長手方向一方端部の上部にハウジング１２１を係止するための舌状に形成した一対のハウジング係止爪１１４ａ、１１４ｂと、から大略構成されている。
【０００４】
ハウジング１２１は、絶縁性の樹脂で形成され、略直方体形状に形成され直方体形状のシールド部材１１１に差し込み収納できる大きさに形成された本体１２２と、この本体１２２の一方端部略中央位置から長手方向に沿って鉛直状に突出して形成され、下部面に接続端子１２３を臨まして配設した端子受部１２４と、この端子受部１２４の反対側側壁面に接続端子１２３と電気的に接続されているコンタクト１２５を整列状態で配設したコンタクト配設部１２６と、コンタクト配設部１２６の外側位置であって上端部にシールド部材１１１のハウジング係止爪１１４ａ、１１４ｂを折り曲げて係止する爪係合部１２８ａ、１２８ｂと、コンタクト配設部１２６の上部位置であって、シールド部材１１１の板厚分の高さに形成された線条のシールド受部１２９と、から大略構成されている。
【０００５】
さて、このような構成からなるハウジング１２１及びシールド部材１１１を組み合わせたレセプタクルは、先ずハウジング１２１の本体１２２を端子受部１２４を前にしてシールド部材１１１の中にシールド受部１２９にシールド部材１１１の端部が当接する位置まで押し込んで収納させる。この状態で、シールド部材１１１に設けたハウジング係止爪１１４ａ、１１４ｂを折り曲げて、爪係合部１２８ａ、１２８ｂに係止させ、ハウジング１２１にシールド部材１１１が係合係止した状態になる。
そして、この状態で、基板１３１上にコンタクト１２５をハンダ付けし、且つシールド部材１１１のシールド係止爪１１２を直交する方向に折り曲げた面をハンダ付けして基板１３１に装着して組み立ては完了する。
そうすると、レセプタクルを構成するハウジング１２１はコンタクト１２５のハンダ付けにより基板１３１に係合係止され、且つシールド部材１１１はシールド係止爪１１２のハンダ付けにより基板１３１に係合係止されることになる。
【０００６】
次に、プラグについて説明する。プラグ４０は、図３に示すように、シールド部材１１１で覆われたハウジング１２１の端子受部１２４に嵌合できる大きさに形成した前方側が開口の嵌合部４１と、嵌合部４１を支持する連設した基部４２とからなる。
【０００７】
嵌合部４１は、その下部両端部に切欠いたガイド溝４３を備え、その頂面にシールド部材１１１のプラグ係止窓１１３ａ、１１３ｂに係合して抜け止めを兼ねたロック部材４４ａ、４４ｂを備え、内部にハウジング１２１の端子受部１２４が挿入して係合できる大きさの係合穴４５を設けた構造となっている。
この係合穴４５の下端部には、奥行きに平行に配設した接触端子４６を備えた構造となっている。
【０００８】
このような構造をしたプラグ４０をレセプタクルに差し込むと、先ず、嵌合部４１をシールド部材１１１で覆われたハウジング１２１の端子受部１２４を係合穴４５に挿入する。そして、ロック部材４４ａ、４４ｂがシールド部材１１１のプラグ係止窓１１３ａ、１１３ｂに係合するまで押し込むことで差し込みは完了する。この状態のときには、プラグの嵌合部先端は、ハウジング１２１の本体１２２の側壁面に臨んだ状態で対峙、或いは当接した状態になる。
【０００９】
【特許文献１】特開平１０−１３４８６６号公報（第３頁〜４頁、第１図）
【発明の開示】
【発明が解決しようとする課題】
【００１０】
しかしながら、上記背景技術の項で説明した従来技術のレセプタクルにおいて、レセプタクルにプラグが差し込んでいる状態で衝撃を与えると、プラグの先端がハウジングを直接押すことにより、ハウジングに収納されているコンタクト及びハウジング自体にダメージを与えるという問題がある。
【００１１】
従って、レセプタクルに差し込まれているプラグに衝撃がかかってもレセプタクルを構成するハウジングにダメージを与えない構造にすることに解決しなければならない課題を有する。
【課題を解決するための手段】
【００１２】
上記課題を解決するために、本発明に係るレセプタクルは、次に示す構成にすることである。
【００１３】
（１）レセプタクルは、プラグを嵌合させたときに、該プラグに設けてある接触端子と電気的な接続をする接続端子を備えたハウジングと、前記ハウジングの外周を覆うように形成されたシールド部材と、からなるレセプタクルであって、前記シールド部材には、前記ハウジングに嵌合する前記プラグの一部が当接するように挿入方向に直交する方向に切起こした切起こし部を設けたことである。
（２）前記切起こし部は、前記プラグを挿入する方向の上部中央寄りに一対、下部端部寄りに一対設けたことを特徴とする（１）に記載のレセプタクル。
（３）前記切起こし部は、前記ハウジングに設けた貫通溝に遊嵌合させるように形成したことを特徴とする（１）乃至（２）に記載のレセプタクル。
【発明の効果】
【００１４】
本発明のレセプタクルは、レセプタクルを構成するシールド部材には、ハウジングに嵌合するプラグの一部が当接するように挿入方向に直交する方向に切起こした切起こし部を設けたことで、プラグに衝撃が加わっても、ハウジングへの直接の衝撃が回避され、シールド部材で当該衝撃を受けることができ、その分ハウジングへのダメージを少なくすることができる。
【発明を実施するための最良の形態】
【００１５】
次に、本発明に係るレセプタクル及びこのレセプタクルに差し込むプラグについて図面を参照して説明する。
【実施例１】
【００１６】
レセプタクルは、図１及び図２に示すように、直方体形状に形成され金属性部材で形成されたシールド部材１１と、このシールド部材１１で覆われ複数の接続端子を備えたハウジング２１とからなる。
【００１７】
シールド部材１１は、金属性板部材を空洞の直方体形状に形成したもので、短手方向両端部の下部位置に舌状に形成したシールド係止爪１２と、頂面にプラグを係止するための小窓からなる一対のプラグ係止窓１３ａ、１３ｂと、長手方向一方端部の上部にコネクタを係止するための舌状に形成した一対のハウジング係止爪１４ａ、１４ｂと、一対のハウジング係止爪１４ａ、１４ｂの間であって端部から奥方向に一部を切欠き１５ａ、その切欠いた一部に連続して直交する方向に切欠き１５ｂ、を入れて切欠き接片１６を形成し、この切欠き接片１６の連続している一部を基準にして内側方向に切起こして形成された中央寄りの一対の上部切起こし部１７ａ、１７ｂと、下部端部に端部から奥方向に一部を切欠き１８ａ、その切欠いた一部に連続して直交する方向に切欠き１８ｂを入れて切欠き接片１９を形成し、この切欠き接片１９の連続している一部を基準にして内側方向に切起こして形成された端部寄りの一対の下部切起こし部２０ａ、２０ｂと、から大略構成されている。
この上部切起こし部１７ａ（、１７ｂ）に対して切起こし方向と直交する部位端部３２（図２参照）に、後述するプラグ４０の先端部４７ａ（図３参照）が当接することになる。同時に、下部切起こし部２０ａ（、２０ｂ）に対して切起こし方向と直交する部位端部３３（図２参照）に、後述するプラグ４０の先端部４７ｂ（図３参照）が当接することになる。
【００１８】
ハウジング２１は、絶縁性の樹脂で形成され、略直方体形状に形成され直方体形状のシールド部材に差し込み収納できる大きさに形成された本体２２と、この本体２２の一方端部略中央位置から長手方向に沿って鉛直状に突出して形成され、下部面に接続端子２３を臨まして配設した端子受部２４と、この端子受部２４と反対側側壁面に接続端子２３と電気的に接続されているコンタクト２５を整列状態で配設したコンタクト配設部２６と、コンタクト配設部２６の外側位置であって下端部に貫通させた線条の溝からなる一対の下部貫通溝２７ａ、２７ｂと、コンタクト配設部２６の外側位置であって上端部にシールドのコンタクト係止爪１２を折り曲げて係止する一対の爪係合部２８ａ、２８ｂと、コンタクト配設部２６の上部位置であって、シールド部材１１の板厚分の高さに形成された線条のシールド受部２９と、このシールド受部２９を含み、端子受部２４方向に切欠いて貫通させた線条の溝からなる一対の上部貫通溝３０ａ、３０ｂと、から大略構成されている。
【００１９】
さて、このような構成からなるハウジング２１及びシールド部材１１を組み合わせたレセプタクルは、先ずハウジング２１の本体２２を端子受部２４を前にしてシールド部材１１の中にシールド受部２９にシールド部材１１の端部が当接する位置まで押し込んで収納させる。この状態で、シールド部材１１に設けたハウジング係止爪１４ａ、１４ｂを折り曲げて、爪係合部２８ａ、２８ｂに係止させ、ハウジング２１にシールド部材１１が係合係止した状態になる。
このとき、ハウジング２１の上部貫通溝３０ａ、３０ｂにシールド部材１１の上部切起こし部１７ａ、１７ｂが遊嵌合してスルーの状態になり、ハウジング２１の下部貫通溝２７ａ、２７ｂにシールド部材１１の下部切起こし部２０ａ、２０ｂが遊嵌合してスルーの状態になり、上部切起こし部１７ａ、１７ｂ及び下部切起こし部２０ａ、２０ｂの端部が本体２２の端部に少なくとも面一で臨むか又は少々出た状態で配置される。
そして、この状態で、基板３１上にコンタクト２５をハンダ付けし、且つシールド部材１１のシールド係止爪１２を直交する方向に折り曲げた面をハンダ付けして基板３１に装着して組み立ては完了する。
そうすると、レセプタクルを構成するハウジング２１はコンタクト２５のハンダ付けにより基板３１に係止され、且つシールド部材１１はシールド係止爪１２のハンダ付けにより基板３１に係止されることになる。
この一対の下部貫通溝２７ａ、２７ｂにシールド部材１１の一対の下部切起こし部２０ａ、２０ｂが遊嵌合し、一対の上部貫通溝３０ａ、３０ｂにシールド部材１１の一対の上部切起こし部１７ａ、１７ｂが遊嵌合することで、後述するプラグ４０がレセプタクルに差し込まれて、衝撃が加わったときに、その衝撃が直接ハウジング２１に伝達せず、シールド部材１１の上部及び下部切起こし部１７ａ、１７ｂ、２０ａ、２０ｂに伝達されることで、ハウジング２１への影響を極力回避することが可能となる。
更に、シールド部材１１の上部の中央寄りに一対の上部切起こし部１７ａ、１７ｂ、下部の端部寄りに一対の下部切起こし部２０ａ、２０ｂを設けた構造にすることで、後述するプラグ４０が差し込まれて、衝撃が加わったときに、その衝撃がバランス良く上部及び下部切起こし部１７ａ、１７ｂ、２０ａ、２０ｂに伝達されるため、偏った衝撃に対しても何れかの切起こし部（１７ａ、１７ｂ、２０ａ、２０ｂ）で吸収するか、或は全体で吸収することができる構成になっている。
【００２０】
次に、プラグについて説明する。プラグは従来技術で説明したものと同様の構造をしており、それは、図３に示すように、シールド部材１１に嵌合できる大きさに形成した前方側が開口の嵌合部４１と、嵌合部４１を支持する連設した基部４２とからなる。
【００２１】
嵌合部４１は、その下部両端部に切欠いたガイド溝４３を備え、その頂面にシールド部材１１のプラグ係止窓１３ａ、１３ｂに係合して抜け止めを兼ねたロック部材４４ａ、４４ｂを備え、内部にハウジング２１の端子受部２４が挿入して係合できる大きさの係合穴４５を設けた構造となっている。
この係合穴４５の下端部には、奥行きに平行に配設した接触端子４６を備えた構造となっている。
【００２２】
このような構造をしたプラグ４０をレセプタクルに差し込むと、先ず嵌合部４１をシールド部材１１で覆われたハウジング２１の端子受部２４を係合穴４５に挿入する。そして、ロック部材４４ａ、４４ｂがシールド部材１１のプラグ係止窓１３ａ、１３ｂに係合するまで押し込むことで差し込みは完了する。この状態のときには、プラグ４０の嵌合部先端部４７ａ、４７ｂは、シールド部材１１の上部切起こし部１７ａ、１７ｂ及び下部切起こし部２０ａ、２０ｂに対して切起こし方向と直交する部位端部３２、３３に当接させるように臨んだ状態で対峙することになる。
【００２３】
このような状態において、もしプラグ４０に何らかの衝撃が加わり、例えば挿入方向に押圧されるとその衝撃は係合部先端からシールド部材１１の上部切起こし部１７ａ、１７ｂ及び下部切起こし部２０ａ、２０ｂに伝わる。これら上部切起こし部１７ａ、１７ｂ及び下部切起こし部２０ａ、２０ｂはハウジング２１の上部貫通溝３０ａ、３０ｂ及び下部貫通溝２７ａ、２７ｂで遊嵌合されているため、衝撃はハウジング２１には直接伝わらず、シールド部材１１のみに伝達し、その応力はハンダ付けされているシールド係止爪１２に伝達され基板３１を介して緩衝される。この上部切起こし部１７ａ、１７ｂ及び下部切起こし部２０ａ、２０ｂに対して切起こした方向と直交する方向の端部３２、３３にプラグ４０の嵌合部４１の先端部４７ａ、４７ｂが接するため、その強度は極めて強く、簡単に変形等を起こすことはない。
従って、レセプタクルに差し込まれているプラグ４０に衝撃が印加されても、その衝撃の押圧力は直接ハウジング２１に伝達されないため、ハウジング２１で係止しているコンタクト２５への影響は極めて少なくすることでき、衝撃に極めて強い構造のレセプタクルを実現することができるのである。
【００２４】
尚、シールド部材１１に設けた一対の上部切起こし部１７ａ、１７ｂ、一対の下部切起こし部２０ａ、２０ｂは、シールド部材１１の中央寄り及び端部寄りに設けた構造であるが、これに限定されることなく、その数や位置関係等は適宜変更できることは勿論のことである。
【産業上の利用可能性】
【００２５】
本発明のレセプタクルは、レセプタクルを構成するシールド部材に、プラグを差し込む方向と同一方向に切起こしを設け、この切起こし部の切起こしと直交する端部にプラグの先端部を当接させるようにしたことで、レセプタクルに差し込まれているプラグに衝撃が加わっても、ハウジングへの直接の衝撃が回避され、シールド部材で当該衝撃を緩衝させることができ、その分ハウジングへのダメージを少なくすることができるレセプタクルを提供することができる。
【図面の簡単な説明】
【００２６】
【図１】本願発明に係るレセプタクルの斜視図である。
【図２】同、レセプタクルを構成するハウジングとシールド部材の斜視図である。
【図３】同、プラグの断面図である。
【図４】従来技術におけるハウジングとシールド部材の斜視図である。
【図５】従来技術におけるレセプタクルの斜視図である。
【符号の説明】
【００２７】
１１；シールド部材、１２；シールド係止爪、１３ａ；プラグ係止窓、１３ｂ；プラグ係止窓、１４ａ；ハウジング係止爪、１４ｂ；ハウジング係止爪、１５ａ；切欠き、１５ｂ；切欠き、１６；切欠き接片、１７ａ；上部切起こし部、１７ｂ；上部切起こし部、１８ａ；切欠き、１８ｂ；切欠き、１９；切欠き接片、２０ａ；下部切起こし部、２０ｂ；下部切起こし部、２１；ハウジング、２２；本体、２３；接続端子、２４；端子受部、２５；コンタクト、２６；コンタクト配設部、２７ａ；下部貫通溝、２７ｂ；下部貫通溝、２８ａ；爪係合部、２８ｂ；爪係合部、２９；シールド受部、３０ａ；上部貫通溝、３０ｂ；上部貫通溝、３１；基板、４０；プラグ、４１；嵌合部、４２；基部、４３；ガイド溝、４４ａ；ロック部材、４４ｂ；ロック部材、４５；係合穴、４６；接触端子。
【図１】
2005251461.tif 000003
【図２】
2005251461.tif 000004
【図３】
2005251461.tif 000005
【図４】
2005251461.tif 000006
【図５】
2005251461.tif 000007